(57)【特許請求の範囲】
【請求項１】
シース熱電対をパッドを介して測温対象面に取り付ける取り付け構造であって、
測温対象面に当接面を当接した状態で固定される前記パッドに、前記シース熱電対の感温部を受け入れる挿着溝を設けるとともに、
該挿着溝のシース熱電対を受け入れる口部の外側に、シース熱電対を着脱可能に把持する把持部であって、
前記パッド本体の口部から突設され、軸方向途中部の側壁に貫通溝を有する筒状体と、
前記筒状体の外周部に設けられ、該貫通溝から筒状体内に突出する挟持片により筒状体内に挿入されたシース熱電対の外周面を押圧し、これによりシース熱電対を筒状体内に挟持する挟持部材とより構成してなる把持部を設け、
前記シース熱電対が、前記測温対象面に固定されたパッドの前記挿着溝に感温部が挿着され、且つ前記把持部により口部外側に出ている部位を把持された状態に取り付けられることを特徴とするシース熱電対の取り付け構造。
【請求項２】
前記挟持部材が、前記挟持片の弾性復元力によりシース熱電対の外周面を押圧するばね材よりなる請求項１記載のシース熱電対の取り付け構造。
【請求項３】
前記シース熱電対のシース外周面に、前記挟持片が軸方向に掛止される段差部を設けてなる請求項１又は２記載のシース熱電対の取り付け構造。
【請求項４】
前記段差部が、軸方向に所定長さの範囲だけシース外径を縮径させた凹溝よりなる請求項３記載のシース熱電対の取り付け構造。
【請求項５】
前記挿着溝を、前記当接面に開口する溝としてなる請求項１〜４の何れか１項に記載のシース熱電対の取り付け構造。
【請求項６】
前記パッドを、下面が前記当接面となる略平行な上下面を有する板状のパッド本体より構成するとともに、前記挿着溝として前記当接面に平行に延びる溝をパッド本体に形成し、該挿着溝の前記口部が開口するパッド本体側端部に前記把持部を突設してなる請求項１〜５の何れか１項に記載のシース熱電対の取り付け構造。
【請求項７】
前記挿着溝を、その内壁面が前記シース熱電対の感温部のシース外周面に当接する寸法に設定してなる請求項１〜６の何れか１項に記載のシース熱電対の取り付け構造。
【請求項８】
シース熱電対をパッドを介して測温対象面に取り付ける取り付け方法であって、
前記パッドとして、
前記シース熱電対の感温部を受け入れる挿着溝と、
該挿着溝のシース熱電対を受け入れる口部の外側に、シース熱電対を着脱可能に把持する把持部であって、前記パッド本体の口部から突設され、軸方向途中部の側壁に貫通溝を有する筒状体と、前記筒状体の外周部に設けられ、該貫通溝から筒状体内に突出する挟持片により筒状体内に挿入されたシース熱電対の外周面を押圧し、これによりシース熱電対を筒状体内に挟持する挟持部材とより構成してなる把持部とより構成されるパッドを設け、
測温対象面に対し、前記パッドをその当接面を当接させた状態に固定した後、
該パッドの前記挿着溝に、前記シース熱電対の感温部を挿着させ、
さらに、該シース熱電対の前記口部の外側に出ている部位を、前記把持部により前記シース熱電対の外周面が前記挟持部材によって前記筒状体内に把持された状態に取り付ける、
ことを特徴とするシース熱電対の取り付け方法。
【請求項９】
請求項１〜７の何れか１項に記載のシース熱電対の取り付け構造に用いるパッドであって、
シース熱電対の感温部を受け入れる挿着溝を設けるとともに、
該挿着溝のシース熱電対を受け入れる口部の外側に、シース熱電対を着脱可能に把持する把持部であって、前記パッド本体の口部から突設され、軸方向途中部の側壁に貫通溝を有する筒状体と、前記筒状体の外周部に設けられ、該貫通溝から筒状体内に突出する挟持片により筒状体内に挿入されたシース熱電対の外周面を押圧し、これによりシース熱電対を筒状体内に挟持する挟持部材とより構成してなる把持部を設け、
前記シース熱電対は、感温部が前記挿着溝に挿着され、且つ口部外側に出ている部位が前記把持部により把持された状態に取り付けられるパッド。
【発明の詳細な説明】
【技術分野】
【０００１】
本発明は、シース熱電対をパッドを介して測温対象面に取り付ける取り付け構造、及びこれに用いるパッドに関するものである。
【背景技術】
【０００２】
この種の取り付け構造としては、従来より、３〜５ｍｍ程度の肉厚の金属板（パッド）にシース熱電対の先端感温部を嵌めこんで溶接固定したパッド付き熱電対を用意し、これを測温対象面まで引き込んで、先端のパッドを測温対象面に溶接することで取り付けてなる構造が採用されている（例えば、特許文献１の第５図参照。）
【０００３】
ところで、シース熱電対のシース管は薄肉であるため、あらかじめ工場でパッドに溶接固定する際の溶接工程に細心の注意を要する。シース管がパンクして破損すると吸湿し、測定誤差に繋がるためである。したがって、この溶接工程は製作コストを増大する一因となっている。このパンクを未然に防止し、溶接工程を容易化するべく、シース管の感温部を含む外周部分に補強用の金属管を被せ、該金属管とパッドとを溶接することも行われている。しかし、このように第三の部材（補強用の金属管）がパッドとシース管の間に入ると熱伝導の妨げとなり、温度測定の応答性が低下するという問題があった。
【０００４】
また、パッドとシース管又は補強用の金属管との溶接は、パッドにあらかじめ上下面に開放される切欠き溝を形成し、該溝にシース管又は金属管を嵌め込み、切欠き溝上下の縁部に沿って溶接が為される。特に測温対象面への当接面となる下面側は、温度測定の応答性を維持するために測温対象面に密着できることが重要であるため、溶接部を当接面と面一になるように削る後加工が必要になる。この後加工が不十分だと接触面積が低下し、熱伝導がうまくおこなわれず応答性の低下につながり、品質のばらつきの原因になる。またこの後加工はシース管を破損させないように慎重に行う必要があり、熟練を要する作業であった。
【０００５】
また、このようにして製作されるパッド付き熱電対を測温対象面に取り付ける際には、長く延びる熱電対を測温対象面まで引き込み、先端のパッドを測温対象面に溶接で取り付けることになるが、作業の際に長い熱電対が邪魔になり作業性がわるく、特に測温対象面が入り組んだ設備（ボイラーチューブなど）の場合、作業がより難しく、取り付け作業の良し悪しによって測定誤差、ばらつきが大きくなるため、熟練を要する作業となる。また、この溶接の際に熱電対に熱ダメージを与える可能性もある。更に、測温対象面に溶接固定されると熱電対を交換する場合、パッドの溶接部を切断する等してパッドも再利用できない状態となるため、新たにパッド付き熱電対全体を容易し且つ困難な取り付け作業が再度必要となる。
【先行技術文献】
【特許文献】
【０００６】
【特許文献１】特開平１−１４５５３７号公報
【発明の概要】
【発明が解決しようとする課題】
【０００７】
そこで、本発明が前述の状況に鑑み、解決しようとするところは、シース管のパンク、吸湿、測定誤差、応答性低下の危険を未然に回避でき、製造が容易で、品質を安定化でき、測温対象面への取り付けも容易で、熱ダメージを未然に回避でき、交換も容易なシース熱電対の取り付け構造及びこれに用いるパッドを提供する点にある。
【課題を解決するための手段】
【０００８】
本発明は、前述の課題解決のために、シース熱電対をパッドを介して測温対象面に取り付ける取り付け構造であって、測温対象面に当接面を当接した状態で固定される前記パッドに、前記シース熱電対の感温部を受け入れる挿着溝を設けるとともに、該挿着溝のシース熱電対を受け入れる口部の外側に、シース熱電対を着脱可能に把持する把持部を設け、前記シース熱電対が、前記測温対象面に固定されたパッドの前記挿着溝に感温部が挿着され、且つ前記把持部により口部外側に出ている部位を把持された状態に取り付けられることを特徴とするシース熱電対の取り付け構造を提供する。
【０００９】
ここで、前記挿着溝を、前記当接面に開口する溝としたものが好ましい。
【００１０】
また、前記パッドを、下面が前記当接面となる略平行な上下面を有する板状のパッド本体より構成するとともに、前記挿着溝として前記当接面に平行に延びる溝をパッド本体に形成し、該挿着溝の前記口部が開口するパッド本体側端部に前記把持部を突設したものが好ましい。
【００１１】
更に、前記挿着溝を、その内壁面が前記シース熱電対の感温部のシース外周面に当接する寸法に設定したものが好ましい。
【００１２】
また、前記把持部を、シース熱電対のシース外周面を挟持する挟持手段より構成したものが好ましい。
【００１３】
また、前記把持部を、前記パッド本体の口部から突設され、軸方向途中部の側壁に貫通溝を有する筒状体と、前記筒状体の外周部に設けられ、該貫通溝から筒状体内に突出する挟持片により筒状体内に挿入されたシース熱電対の外周面を押圧し、これによりシース熱電対を筒状体内に挟持する挟持部材とより構成したものが好ましい。
【００１４】
特に、前記挟持部材が、前記挟持片の弾性復元力によりシース熱電対の外周面を押圧するばね材よりなるものが好ましい。
【００１５】
更に、前記シース熱電対のシース外周面に、前記挟持片が軸方向に掛止される段差部を設けたものが好ましい。
【００１６】
より具体的には、前記段差部が、軸方向に所定長さの範囲だけシース外径を縮径させた凹溝よりなるものが好ましい。
【００１７】
また本発明は、上記した取り付け構造に用いるパッドであって、シース熱電対の感温部を受け入れる挿着溝を設けるとともに、該挿着溝のシース熱電対を受け入れる口部の外側に、シース熱電対を着脱可能に把持する把持部を設け、前記シース熱電対は、感温部が前記挿着溝に挿着され、且つ口部外側に出ている部位が前記把持部により把持された状態に取り付けられるパッドをも提供する。
【発明の効果】
【００１８】
以上にしてなる本願発明によれば、測温対象面にあらかじめ溶接等で固定されたパッドに対し、把持部によりシース熱電対が着脱可能に取り付けられるので、あらかじめ工場でパッドに溶接固定する必要がなく、補強用の金属管も省略することができ、シース管のパンクやそれによる吸湿、測定誤差、応答性の低下を未然に防止することができる。また、同じくシース管をパッドに溶接固定する必要がないことから、測温対象面への当接面となる下面側の後加工も不要となり、製造コスト低減につながるとともに、パッドへの熱伝導が設定どおりに行われ、応答性が維持され、品質が安定化する。
【００１９】
さらに、上述のとおりパッドのみ先に溶接等で固定し、その後にシース熱電対を取り付けることができるので、この場合、パッドの測温対象面への溶接作業のときにシース熱電対が邪魔になるといったことがなく、入り組んだボイラーチューブへの取り付けの際にも作業性を著しく向上させ、測定誤差、そのばらつきが小さく、品質が安定化する。また、溶接作業の際に熱電対が存在しないので熱ダメージを与えることも回避できる。また、熱電対を交換する場合、パッドに対し着脱可能なシース熱電対のみ交換することができ、交換コストを著しく低減できる。
【００２０】
また、挿着溝を、前記当接面に開口する溝としたので、シース熱電対の感温部のシース外周面を前記開口を通じて直接、測温対象面に接触させることができるとともにパッドを薄型化することが可能となり、温度測定の応答性を向上させることができる。
【００２１】
また、パッドを、下面が前記当接面となる略平行な上下面を有する板状のパッド本体より構成するとともに、前記挿着溝として前記当接面に平行に延びる溝をパッド本体に形成し、該挿着溝の前記口部が開口するパッド本体側端部に前記把持部を突設したので、パッドを介してシース熱電対感温部への熱伝達の効率が良く、温度測定の応答性を向上させることができ、すでに固定されているパッドへのシース熱電対の取り付け、配設作業も容易となる。
【００２２】
また、前記挿着溝を、その内壁面が前記シース熱電対の感温部のシース外周面に当接する寸法に設定したので、着脱自在な構造であるにもかかわらずシース熱電対の感温部への熱伝達を滞りないものとし、温度測定の応答性を向上させることができる。
【００２３】
また、前記把持部を、シース熱電対のシース外周面を挟持する挟持手段より構成したので、熱によりパッドとシースの相対移動が生じても、挟持力が負けることでシースを軸方向に逃がし、歪を避けることができる。すなわち、特にボイラーチューブなどは測温対象面であるチューブ外壁が熱収縮により軸方向に大きく移動するため、外壁に溶接固定されたパッドに完全固定された熱電対には大きな外力が作用し、この移動を考慮した熱電対の引き込み作業、配設作業が必要となる。熱電対に外力が作用すると、感温部にも応力が生じ、測定誤差にもなる。本発明は熱電対をパッドに完全固定するのではなく挟持手段で挟持したので、挟持力を設定することで上記のとおり感温部への過大な応力、これによる測定誤差の発生を未然に防止できる。
【００２４】
また、前記把持部を、前記パッド本体の口部から突設され、軸方向途中部の側壁に貫通溝を有する筒状体と、前記筒状体の外周部に設けられ、該貫通溝から筒状体内に突出する挟持片により筒状体内に挿入されたシース熱電対の外周面を押圧し、これによりシース熱電対を筒状体内に挟持する挟持部材とより構成したので、シース熱電対を前記筒状体により安定した姿勢に保持し、パッドとの良好な接触状態を維持して温度測定の応答性を向上させることができるとともに、前記熱によるパッドと熱電対との相対移動が生じても該筒状体に沿ってシース熱電対が安定した姿勢を保持したまま軸方向に相対移動することとなり、前記良好な接触状態を維持させることができる。
【００２５】
また、前記挟持部材が、前記挟持片の弾性復元力によりシース熱電対の外周面を押圧するばね材よりなるので、挟持力を容易に所定の力に設定することができ、前記熱によるパッドとシース熱電対との相対移動を確実に行わせて感温部への過大な応力作用を確実に防止することができる。
【００２６】
また、前記シース熱電対のシース外周面に、前記挟持片が軸方向に掛止される段差部を設けてなるので、パッドへのシース熱電対の取り付け作業を確実なものにすることができ、該段差部の高さで相対移動させる際の挟持力を設定することができ、不必要にパッドとシース熱電対が相対移動して外れてしまうことがないようにすることができる。
【００２７】
また、前記段差部が、軸方向に所定長さの範囲だけシース外径を縮径させた凹溝よりなるので、例えばプレス等で、簡易に低コストで前記段差部を構成することができる。
【図面の簡単な説明】
【００２８】
【図１】本発明の代表的実施形態に係るシース熱電対の取り付け構造を示す斜視図。
【図２】（ａ）は同じく取り付け構造をパッド上面側から見た正面図、（ｂ）は同じく断面図。
【図３】同じく取り付け構造における取り付け手順を示す分解斜視図。
【図４】（ａ）は同じく取り付け構造に用いるパッドを示す斜視図、（ｂ）はパッド本体を当接面側から見た斜視図。
【図５】（ａ）は同じくパッドの上面側からみた正面図、（ｂ）は同じくパッドの把持部の側から見た側面図。
【図６】パッド本体に把持部を組み付ける様子を示す分解斜視図。
【図７】（ａ）は取り付け構造の変形例を示す正面図、（ｂ）は同じく断面図。
【発明を実施するための形態】
【００２９】
次に、本発明の実施形態を添付図面に基づき詳細に説明する。
【００３０】
本発明のシース熱電対の取り付け構造Ｓは、図１に示すように、シース熱電対９をパッド１を介して測温対象面８に取り付ける構造であり、パッド１は、図２〜図６に示すようにシース熱電対９の感温部９０を受け入れる挿着溝２を有し、且つ該挿着溝２のシース熱電対９を受け入れる口部２０の外側に、シース熱電対９を着脱可能に把持する把持部３を有し、測温対象面８に当接面１０を当接した状態で固定される。
【００３１】
そしてシース熱電対９は、測温対象面８に固定されたパッド１の挿着溝２に感温部９０が挿着され、且つ把持部３によって口部外側に出ている部位を把持された状態に取り付けられる。このように本発明に係る取り付け構造Ｓは、パッド１に対してシース熱電対９が着脱可能に取り付けられる構造であり、したがって、パッド１のみ先に測温対象面８に固定しておき、後から該パッド１にシース熱電対９を取り付けることができ、取り付け作業効率が著しく向上するとともに、熱電対に熱ダメージを与えることも回避でき、交換の際には、パッド１が測温対象面８に固定された状態のままシース熱電対９のみを取り外し、新たなものに交換することが可能となる。
【００３２】
測温対象面８としては、本例ではボイラーチューブＴの外壁面とした例を示しており、パッド１の当接面１０は、該外壁面に密着する平行な凹曲面に構成されている。パッド１の測温対象面８への固定は、パッド本体１１の把持部３が設けられている基端側の辺を除く３辺を測温対象面８に溶接することにより固定されている（溶接部４１）。ただし、溶接以外の他の取付手段でパッド本体１１を測温対象面８に固定することもできる。
【００３３】
パッド１は、パッド本体１１と把持部３とより構成され、パッド本体１１に挿着溝２が形成されている。パッド本体１１は、下面が当接面１０となる略平行な上下面を有する板状の金属材であり、本例では上述のとおり下面が凹曲面に構成され、上面がこれに平行な凸曲面に構成されている。このようなパッド本体は平らな板材を屈曲させて構成することができるが、これに限定されない。また、平らな板材の下面側を凹曲面に切削加工し、上面は平面のままに構成してものもよい。
【００３４】
パッド本体１１の素材は、熱伝導率の違いによる温度分布の乱れを避けるべく、測温対象面８、本例ではボイラーチューブＴと同材質が好ましいが、他の材質を採用することも可能である。本例では例えばステンレス材が用いられるが、使用場所及び目的に応じて各種の金属材料が使用可能で、またその厚さも適宜調整することができる。
【００３５】
パッド本体１１の挿着溝２は、下面すなわち当接面１０に開口する溝とされ、挿着されるシース熱電対９の感温部９０を当該開口を通じて直接、測温対象面８に接触させるように構成されている。挿着溝２を下面のみならず上面にも開口する孔により構成することもできる。これによりパッド本体１１をさらに薄型に構成することが可能となる。
【００３６】
挿着溝２は、当接面１０に平行に延びる溝、すなわちその軸が当接面１０に平行な溝とされている。これは挿入されるシース熱電対９の感温部９０のシース外面にできるだけ広い面積が接触するようにするためであり、これにより温度測定の応答性を高めることができる。ただし、これに限定されず、例えばシース熱電対先端側ほど測温対象面８に近づくように傾斜した溝としてもよい。挿着溝２の内壁面は、シース熱電対９の感温部９０のシース外周面に当接する寸法に設定されている。これにより測温対象面８からパッド本体１１に伝わった熱を感温部９０に滞りなく伝えることができ、応答性を高めることができる。圧着する寸法としてもよい。
【００３７】
把持部３は、パッド本体１１の口部２０から突設され、軸方向途中部の側壁に貫通溝５０を有する筒状体３０と、筒状体３０の外周部に設けられ、該貫通溝５０から筒状体３０内に突出する挟持片５１ａにより筒状体内に挿入されたシース熱電対９のシース外周面を押圧し、これによりシース熱電対９を筒状体３０内に挟持する挟持部材５１とより構成されている。この貫通溝５０と挟持片５１ａが、シース熱電対９のシース外周面を挟持する挟持手段５として機能する。このように挟持片５１ａを設けるのではなく、カシメ加工でシース外周面を圧着したものでもよい。
【００３８】
口部２０は、パッド本体側端部に形成された上下面に貫通した凹溝２１内に開口しており、該凹溝２１に筒状体３０先端側に形成された取り付け部３１がはめ込まれ、溶接により固定されている（溶接部４２）。取り付け部３１は、筒状体３０の先端側外周面を断面視四角形状にカシメ加工することで形成されている。ただし、このような凹溝２１を省略してもよい。
【００３９】
挟持部材５１は、挟持片５１ａの弾性復元力によりシース熱電対９のシース外周面を押圧するばね材より構成されている。本例では一対の貫通溝５０を筒状体３０の軸を挟んで１８０度対向する位置に設けるとともに、挟持部材５１として一対の挟持片５１ａを有する略コ字状のステンレス製挟持金具を用意し、これを筒状体３０の側方から貫通溝５０を有する外周部を挟み込むように装着することで、両挟持片５１ａが各々対応する貫通溝５０に嵌まり込み、筒状体３０内部のシース熱電対９のシース外周面を押圧することになる。
【００４０】
このように挟持手段５を備えることで、熱収縮で測温対象面８が移動し、パッド１とシース熱電対９の相対移動が生じても、所定の力以上で挟持力が負けてシース熱電対を軸方向に逃がして歪を避けることが可能となる。この際、シース熱電対９の感温部９０は挿着溝２内を移動するが、挿着溝２の軸方向の長さを熱収縮による相対移動を見越した十分な距離に設定することで良好な熱伝達を維持し、応答性の低下を防止することができる。例えばボイラーチューブの場合は５ｍｍ程度の移動を想定し、挿着溝２の長さを１５ｍｍ程度設定しておくことが好ましい。
【００４１】
本例では、さらにシース外周面の前記挟持片５１ａに押圧される軸方向位置には、挟持片５１ａが軸方向に掛止される段差部９１が設けられている。段差部９１は、軸方向に所定長さの範囲、具体的には貫通溝５０と同じ範囲だけシース外径を縮径させた全周にわたる凹溝よりなり、シース熱電対９を所定の位置まで挿入できていることの確認になる位置決め用の溝としても機能する。また、挟持片５１ａではなく筒状体をカシメ加工してシース外周面を圧着させる際には、前記段差部９１がカシメ加工によりシース外周面を軸方向に容易に移動しないように把持する溝となる。
【００４２】
筒状体３０及び挟持部材５１は、パッド本体１１と同一素材を用いることが熱分布が均一となる点で好ましい。本例では上記のとおり挟持部材５１を筒状体３０に側方から着脱できる金具で構成しているが、溶接等で筒状体３０に固定されているバネ材で構成することもできる。
【００４３】
シース熱電対９は、異種金属からなる熱電対素線を先端封止される金属シースに電気絶縁材とともに内装した従来から公知の熱電対を広く用いることができる。例えば、金属シースはオーステナイト系ステンレス鋼（ＳＵＳ３０４、ＳＵＳ３１６等）やニッケルクローム系耐熱合金（インコネル）等を用いることができる。内装される熱電対素線は、例えばプラス側素線にニッケル−クロム合金、マイナス側素線にニッケル合金が用いることができる。シース内に充填する電気絶縁材は、例えばＭｇＯやＡｌ２Ｏ３等を用いることができる。
【００４４】
また、感温部９０はシース内部に熱電対素線の温接点が設けられているが、この温接点は金属シースに非接触のものや、金属シースに溶接して形成したもの、先端封止時にシース先端部と一体化したもの等、種々のタイプを用いることができる。金属シースの形状は、円形以外に蒲鉾形状、楕円形その他の形状でもよい。また、本例では、熱電対素線を一対のみ収容したものを例示しているが、複数対内挿したものでも勿論よい。図７は２対型の例を示している。
【００４５】
以上、本発明の実施形態について説明したが、本発明はこうした実施例に何ら限定されるものではなく、本発明の要旨を逸脱しない範囲において種々なる形態で実施し得ることは勿論である。
【実施例】
【００４６】
次に、本発明に係るパッドをシース熱電対に取り付けたサンプルである実施例１〜４、従来のパッド付き熱電対のサンプルである比較例１、２について、パッドに熱を与えたときに熱電対の応答時間を測定した結果について説明する。
【００４７】
（実施例１）
実施例１は、パッドに対してシース熱電対を略コ字状のステンレス金具（挟持部材）で着脱可能に取り付けた本発明に係るサンプルであり、パッドが平板形状であること以外、基本的に図面で示した実施形態と同じ構造である。パッドは縦幅（軸方向の長さ）２５ｍｍ、横幅２０ｍｍ、厚み４ｍｍの平板形状のＳＵＳ３０４ステンレス製とし、挿着溝を内径３．４ｍｍ、軸方向長さ１２ｍｍの溝とし、口部が開口する凹溝を軸方向の深さ３ｍｍ、横幅４．２ｍｍとした。
【００４８】
凹溝に先端側が溶接固定される筒状体は、長さ１８ｍｍ、外径４．５ｍｍ、内径３．３ｍｍのＳＵＳ３０４ステンレス製とし、先端側４ｍｍの範囲を断面視４ｍｍ四方の略四角形形状にカシメ加工して取り付け部とした。筒状体に形成する貫通溝は、先端側より６ｍｍの位置から基端側に向けて５ｍｍの範囲にわたる溝とした。
【００４９】
シース熱電対は、外径３．２ｍｍの山里産業株式会社製Ｅ型シース熱電対（シース材ＡＳＴＭ３１６Ｌ  ダブル（２対）型）を用い、先端より１９ｍｍの位置から基端側に向けて５ｍｍの範囲にわたって外径２．６ｍｍに縮径した段差部を形成し、挟持部材で挟持させる部位とした。
【００５０】
（実施例２）
実施例２は、実施例１と同じパッドとシース熱電対を用い、その取り付けをシース熱電対がパッドから外れる方向、すなわち互いに離間する方向に５ｍｍずらしたものである。挟持部材はシースの段差部から外れた位置を挟持している。
【００５１】
（実施例３）
実施例３は、実施例１と同様、本発明に係るパッドにシース熱電対を挟持部材である略コ字状のステンレス金具で取り付けたものである。パッドの厚みを５ｍｍ、挿着溝の内径を５ｍｍ、凹溝の横幅を５．７ｍｍ、筒状体の外径を６ｍｍ、内径を５ｍｍ、先端側取り付け部を断面視５．５ｍｍ四方の略四角形形状にカシメ加工したこと以外、実施例１と同一である。シース熱電対は、外径４．８ｍｍの山里産業株式会社製Ｅ型シース熱電対（シース材ＡＳＴＭ３１６Ｌダブル（２対）型）を用い、シース外周部の先端から１９ｍｍの位置から基端側に向けて軸方向５ｍｍの範囲にわたって外径４．２ｍｍに縮径した段差部を形成し、挟持部材で挟持させた。
【００５２】
（実施例４）
実施例４は、実施例３と同じパッドとシース熱電対を用い、その取り付けをシース熱電対がパッドから外れる方向、すなわち互いに離間する方向に５ｍｍずらしたものである。挟持部材はシースの段差部から外れた位置を挟持している。
【００５３】
（比較例１）
比較例１は、パッドにシース熱電対を溶接固定した従来型のサンプルであり、パッドは、実施例１と同じく、縦幅２５ｍｍ、横幅２０ｍｍ、厚み４ｍｍの平板形状ＳＵＳ３０４ステンレス製とし、これに横幅３．４ｍｍ、縦方向の長さ１５ｍｍの上下貫通した溝を形成し、該溝にシース熱電対の先端側を嵌め込んで上下の縁部を溶接したものである。シース熱電対は、実施例１と同一（ただし段差部の加工なし）である。
【００５４】
（比較例２）
比較例２は、比較例１と同様、パッドにシース熱電対を溶接固定した従来型のサンプルであり、パッドは、実施例３と同じく、縦幅２５ｍｍ、横幅２０ｍｍ、厚み５ｍｍの平板形状ＳＵＳ３０４ステンレス製とし、これに横幅５ｍｍ、縦方向の長さ１５ｍｍの上下貫通した溝を形成し、該溝にシース熱電対を嵌めこんで上下の縁部を溶接したものである。シース熱電対は、実施例３と同一（ただし段差部の加工なし）である。
【００５５】
（測定方法）
各サンプルについて、それぞれパッド部分を室温水中から沸騰水中に全没（浸漬長さ２００ｍｍ）させたときの熱電対出力の変化幅の６３．２%に達するまでの時間（応答時間）を測定した。結果をシース熱電対の種類が同じサンプルごとに分けて、表１、表２に示す。
【００５６】
【表１】
0006515584.tif 000002
【００５７】
【表２】
0006515584.tif 000003
【００５８】
表１、表２から分かるように、本発明に係るサンプルは従来型のサンプルに比べて応答時間が短く、着脱可能な構造による作業性の向上等の効果以外に、熱伝達についても優れていることがわかる。また、実施例１と実施例２の比較、実施例３と実施例４の比較をみてわかるように、熱の影響等でパッドとシール熱電対が軸方向に離間する方向にずれたとしても応答時間に差は殆どなく、すぐれた応答性を維持できることがわかる。
【符号の説明】
【００５９】
１  パッド
２  挿着溝
３  把持部
５  挟持手段
８  測温対象面
９  シース熱電対
１０  当接面
１１  パッド本体
２０  口部
２１  凹溝
３０  筒状体
３１  取り付け部
４１  溶接部
４２  溶接部
５０  貫通溝
５１  挟持部材
５１ａ  挟持片
９０  感温部
９１  段差部
Ｓ  取り付け構造
Ｔ  ボイラーチューブ
【図１】
0006515584.tif 000004
【図２】
0006515584.tif 000005
【図３】
0006515584.tif 000006
【図４】
0006515584.tif 000007
【図５】
0006515584.tif 000008
【図６】
0006515584.tif 000009
【図７】
0006515584.tif 000010